(57)【特許請求の範囲】
【請求項１】
半永続的チャネル状態情報（ＣＳＩ）測定を開始するための無線デバイス（１１０）における方法（５００）であって、
ネットワークノード（１１５）から、半永続的チャネル状態情報基準信号（ＣＳＩ−ＲＳ）リソースに対する測定を開始するための動的割り当てシグナリングを受信することと、
前記半永続的ＣＳＩ−ＲＳリソースに対する第１の測定を実行することと、
前記第１の測定のみに基づいて第１のＣＳＩ報告を前記ネットワークノードに送信することと、
前記動的割り当てシグナリングとは異なるトリガメッセージを前記ネットワークノードから受信することであって、前記トリガメッセージは半永続的ＣＳＩ報告をトリガする、ことと、
半永続的報告を開始すること、を含む方法。
【請求項２】
請求項１に記載の方法であって、前記動的割り当てシグナリングは、前記ＣＳＩ−ＲＳリソースに対する半永続的ＣＳＩ測定を開始し、そしてまた前記第１のＣＳＩ報告をトリガする、方法。
【請求項３】
請求項１または２に記載の方法であって、前記動的割り当てシグナリングは、ＭＡＣ制御エレメント（ＭＡＣ  ＣＥ）を含む、方法。
【請求項４】
請求項１または２に記載の方法であって、前記トリガメッセージは、ダウンリンク制御情報（ＤＣＩ）を含む、方法。
【請求項５】
請求項１から４のいずれか１項に記載の方法であって、半永続的報告を開始することは、複数の半永続的ＣＳＩ−ＲＳ報告を送信することを含む、方法。
【請求項６】
請求項５に記載の方法であって、更に、
所定の長さの時間の後に、前記複数の半永続的ＣＳＩ−ＲＳ報告の送信を停止することを含む、方法。
【請求項７】
請求項１から６のいずれか１項に記載の方法であって、前記第１のＣＳＩ報告は非周期的な報告である、方法。
【請求項８】
請求項１から６のいずれか１項に記載の方法であって、前記第１のＣＳＩ報告は、半永続的報告である、方法。
【請求項９】
請求項１から８のいずれか１項に記載の方法であって、前記動的割り当てシグナリングは、
半永続的ＣＳＩ−ＲＳ測定開始の指示、
半永続的ＣＳＩ−ＲＳリソース設定インデックスの指示、および、
アップリンクリソース割り当てと、関連する変調および符号化率、のうちの少なくとも１つを含む、方法。
【請求項１０】
請求項１から９のいずれか１項に記載の方法であって、
前記半永続的ＣＳＩ−ＲＳリソースは、限られた時間期間に対して、設定された周期でＣＳＩ−ＲＳの送信のために構成され、
前記動的割り当てシグナリングの受信は、前記半永続的ＣＳＩ−ＲＳリソースでの前記半永続的ＣＳＩ−ＲＳの送信をトリガするために必要とされる、方法。
【請求項１１】
請求項１から１０のいずれか１項に記載の方法であって、更に、
前記半永続的ＣＳＩ−ＲＳリソースに対する前記測定を終了させるために動的割り当て解除シグナリングを受信することと、
前記動的割り当て解除シグナリングに応答して、前記半永続的ＣＳＩ−ＲＳリソースに対する前記測定を停止することを含む、方法。
【請求項１２】
半永続的チャネル状態情報（ＣＳＩ）測定を開始するための無線デバイス（１１０）であって、
命令を格納するメモリ（２３０）と、
処理回路（２２０）を有し、前記処理回路（２２０）は、前記無線デバイスに、
ネットワークノード（１１５）から、半永続的チャネル状態情報基準信号（ＣＳＩ−ＲＳ）リソースに対する測定を開始するための動的割り当てシグナリングを受信させ、
前記半永続的ＣＳＩ−ＲＳリソースに対する第１の測定を実行させ、
前記第１の測定のみに基づいて第１のＣＳＩ報告を前記ネットワークノードに送信させ、
前記動的割り当てシグナリングとは異なるトリガメッセージを前記ネットワークノードから受信させ、ここで前記トリガメッセージは半永続的ＣＳＩ報告をトリガし、
半永続的報告を開始させる、ための前記命令を実行するように動作可能である、無線デバイス。
【請求項１３】
請求項１２に記載の無線デバイスであって、前記動的割り当てシグナリングは、前記ＣＳＩ−ＲＳリソースに対する半永続的ＣＳＩ測定を開始し、そしてまた前記第１のＣＳＩ報告をトリガする、無線デバイス。
【請求項１４】
請求項１２または１３に記載の無線デバイスであって、前記動的割り当てシグナリングは、ＭＡＣ制御エレメント（ＭＡＣ  ＣＥ）を含む、無線デバイス。
【請求項１５】
請求項１２から１４のいずれか１項に記載の無線デバイスであって、前記トリガメッセージは、ダウンリンク制御情報（ＤＣＩ）を含む、無線デバイス。
【請求項１６】
請求項１２から１５のいずれか１項に記載の無線デバイスであって、半永続的報告を開始することは、複数の半永続的ＣＳＩ−ＲＳ報告を送信することを含む、無線デバイス。
【請求項１７】
請求項１６に記載の無線デバイスであって、前記処理回路は、前記無線デバイスに、
所定の長さの時間の後に、前記複数の半永続的ＣＳＩ−ＲＳ報告の送信を停止させる、ための前記命令を実行するように動作可能である、無線デバイス。
【請求項１８】
請求項１２から１７のいずれか１項に記載の無線デバイスであって、前記第１のＣＳＩ報告は非周期的な報告である、無線デバイス。
【請求項１９】
請求項１２から１７のいずれか１項に記載の無線デバイスであって、前記第１のＣＳＩ報告は、半永続的報告である、無線デバイス。
【請求項２０】
請求項１２から１９のいずれか１項に記載の無線デバイスであって、前記動的割り当てシグナリングは、
半永続的ＣＳＩ−ＲＳ測定開始の指示、
半永続的ＣＳＩ−ＲＳリソース設定インデックスの指示、および、
アップリンクリソース割り当てと、関連する変調および符号化率、のうちの少なくとも１つを含む、無線デバイス。
【請求項２１】
請求項１２から２０のいずれか１項に記載の無線デバイスであって、
前記半永続的ＣＳＩ−ＲＳリソースは、限られた時間期間に対して、設定された周期でＣＳＩ−ＲＳの送信のために構成され、
前記動的割り当てシグナリングの受信は、前記半永続的ＣＳＩ−ＲＳリソースでの前記半永続的ＣＳＩ−ＲＳの送信をトリガするために必要とされる、無線デバイス。
【請求項２２】
請求項１２から２１のいずれか１項に記載の無線デバイスであって、前記処理回路は、前記無線デバイスに、
前記半永続的ＣＳＩ−ＲＳリソースに対する前記測定を終了させるために動的割り当て解除シグナリングを受信させ、
前記動的割り当て解除シグナリングに応答して、前記半永続的ＣＳＩ−ＲＳリソースに対する前記測定を停止させるための前記命令を実行するように動作可能である、無線デバイス。
【請求項２３】
半永続的チャネル状態情報（ＣＳＩ）測定を開始するためのネットワークノード（１１５）における方法（７００）であって、
無線デバイス（１１０）が現在測定を行っていない半永続的チャネル状態情報基準信号（ＣＳＩ−ＲＳ）リソースに対する測定を開始するための動的割り当てシグナリングを前記無線デバイス（１１０）に送信することと、
前記動的割り当てシグナリングに応答して、第１のＣＳＩ報告が前記無線デバイスによって送信されたかどうかを判定することと、
前記動的割り当てシグナリングに応答して前記第１のＣＳＩ報告が受信されるかどうかに基づいた行動をとることを含む方法。
【請求項２４】
請求項２３に記載の方法であって、前記動的割り当てシグナリングは、ＭＡＣ制御エレメント（ＭＡＣ  ＣＥ）を含む、方法。
【請求項２５】
請求項２３または２４に記載の方法であって、
前記第１のＣＳＩ報告が前記無線デバイスにより送信されたかどうかを判定することは、
前記無線デバイスから前記第１のＣＳＩ報告を受信することと、
前記第１のＣＳＩ報告を受信することに基づいて、前記無線デバイスが前記動的割り当てシグナリングを成功裏に受信したと判定することを含み、
前記行動をとることは、予め設定された周期性を有する半永続的ＣＳＩ−ＲＳの送信を継続することを更に含む、方法。
【請求項２６】
請求項２３から２５のいずれか１項に記載の方法であって、
前記第１のＣＳＩ報告が前記無線デバイスにより送信されたかどうかを判定することは、
前記第１のＣＳＩ報告が前記無線デバイスから受信されないと判定することと、
前記第１のＣＳＩ報告を受信しないことに基づいて、前記無線デバイスが前記動的割り当てシグナリングを成功裏に受信しなかったと判定することを含み、
前記行動をとることは、前記動的割り当てシグナリングを前記無線デバイスに再送することを更に含む、方法。
【請求項２７】
請求項２３から２６のいずれか１項に記載の方法であって、更に、
前記動的割り当てシグナリングとは異なるトリガメッセージを送信することと、
前記トリガメッセージに応答して、前記第１のＣＳＩ報告に加えて少なくとも１つの半永続的ＣＳＩ報告を受信することを含む、方法。
【請求項２８】
請求項２７に記載の方法であって、前記トリガメッセージは、ダウンリンク制御情報（ＤＣＩ）を含む、方法。
【請求項２９】
請求項２３から２８のいずれか１項に記載の方法であって、前記動的割り当てシグナリングは、
半永続的ＣＳＩ−ＲＳ測定開始の指示、
半永続的ＣＳＩ−ＲＳリソース設定インデックスの指示、および、
アップリンクリソース割り当てと、関連する変調および符号化率、のうちの少なくとも１つを含む、方法。
【請求項３０】
請求項２３から２９のいずれか１項に記載の方法であって、
前記半永続的ＣＳＩ−ＲＳリソースは、限られた時間期間に対して、設定された周期でＣＳＩ−ＲＳの送信のために構成され、
前記動的割り当てシグナリングの受信は、前記半永続的ＣＳＩ−ＲＳリソースでの前記半永続的ＣＳＩ−ＲＳの送信をトリガするために必要とされる、方法。
【請求項３１】
請求項２３から３０のいずれか１項に記載の方法であって、
無線デバイスによる前記半永続的ＣＳＩ−ＲＳリソースに対する前記測定を終了させるために動的割り当て解除シグナリングを送信することと、
前記動的割り当て解除シグナリングに応答して、第２のＣＳＩ報告が無線デバイスによって送信されるかどうかを判定することと、
前記動的割り当て解除シグナリングに応答して、前記第２のＣＳＩ報告が前記無線デバイスによって送信されるかどうかに基づいた行動をとることを更に含む、方法。
【請求項３２】
半永続的チャネル状態情報（ＣＳＩ）測定を開始するためのネットワークノード（１１５）であって、
命令を格納するメモリ（６３０）と、
処理回路（６２０）を有し、前記処理回路（６２０）は前記ネットワークノードに、
無線デバイスが現在測定を行っていない半永続的チャネル状態情報基準信号（ＣＳＩ−ＲＳ）リソースに対する測定を開始するための動的割り当てシグナリングを前記無線デバイス（１１０）に送信させ、
前記動的割り当てシグナリングに応答して、第１のＣＳＩ報告が前記無線デバイスによって送信されるかどうかを判定させ、
前記動的割り当てシグナリングに応答して前記第１のＣＳＩ報告が受信されるかどうかに基づいて行動をさせるための前記命令を実行するように動作可能である、ネットワークノード。
【請求項３３】
請求項３２に記載のネットワークノードであって、前記動的割り当てシグナリングは、ＭＡＣ制御エレメント（ＭＡＣ  ＣＥ）を含む、ネットワークノード。
【請求項３４】
請求項３２または３３に記載のネットワークノードであって、
前記第１のＣＳＩ報告が前記無線デバイスにより送信されたかどうかを判定することは、
前記無線デバイスから前記第１のＣＳＩ報告を受信することと、
前記第１のＣＳＩ報告を受信することに基づいて、前記無線デバイスが前記動的割り当てシグナリングを成功裏に受信したと判定することを含み、
前記行動をとることは、予め設定された周期性を有する半永続的ＣＳＩ−ＲＳの送信を継続することを更に含む、ネットワークノード。
【請求項３５】
請求項３２から３４のいずれか１項に記載のネットワークノードであって、
前記第１のＣＳＩ報告が前記無線デバイスにより送信されたかどうかを判定することは、
前記第１のＣＳＩ報告が前記無線デバイスから受信されないと判定することと、
前記第１のＣＳＩ報告を受信しないことに基づいて、前記無線デバイスが前記動的割り当てシグナリングを成功裏に受信しなかったと判定することを含み、
前記行動をとることは、前記動的割り当てシグナリングを前記無線デバイスに再送することを更に含む、ネットワークノード。
【請求項３６】
請求項３２から３５のいずれか１項に記載のネットワークノードであって、前記処理回路は、前記ネットワークノードに、
前記動的割り当てシグナリングとは異なるトリガメッセージを送信させ、
前記トリガメッセージに応答して、前記第１のＣＳＩ報告に加えて少なくとも１つの追加の半永続的ＣＳＩ報告を受信させるための前記命令を実行するように動作可能である、ネットワークノード。
【請求項３７】
請求項３６に記載のネットワークノードであって、前記トリガメッセージは、ダウンリンク制御情報（ＤＣＩ）を含む、ネットワークノード。
【請求項３８】
請求項３２から３７のいずれか１項に記載のネットワークノードであって、前記動的割り当てシグナリングは、
半永続的ＣＳＩ−ＲＳ測定開始の指示、
半永続的ＣＳＩ−ＲＳリソース設定インデックスの指示、および、
アップリンクリソース割り当てと、関連する変調および符号化率、のうちの少なくとも１つを含む、ネットワークノード。
【請求項３９】
請求項３２から３８のいずれか１項に記載のネットワークノードであって、
前記半永続的ＣＳＩ−ＲＳリソースは、限られた時間期間に対して、設定された周期でＣＳＩ−ＲＳの送信のために構成され、
前記動的割り当てシグナリングの受信は、前記半永続的ＣＳＩ−ＲＳリソースでの前記半永続的ＣＳＩ−ＲＳの送信をトリガするために必要とされる、ネットワークノード。
【請求項４０】
請求項３２から３９のいずれか１項に記載のネットワークノードであって、前記処理回路は、前記ネットワークノードに、
無線デバイスによる前記半永続的ＣＳＩ−ＲＳリソースに対する前記測定を終了させるために動的割り当て解除シグナリングを送信させ、
前記動的割り当て解除シグナリングに応答して、第２のＣＳＩ報告が無線デバイスによって送信されるかどうかを判定させ、
前記動的割り当て解除シグナリングに応答して、前記第２のＣＳＩ報告が前記無線デバイスによって送信されるかどうかに基づいた行動をとらせるための前記命令を実行するように更に構成される、ネットワークノード。
【発明の詳細な説明】
【技術分野】
【０００１】
本開示は、一般に無線通信に関し、より詳細には、半永続的チャネル状態情報基準信号（ＣＳＩ−ＲＳ）に対する信頼できる動的指示のためのシステムおよび方法に関する。
【背景技術】
【０００２】
第５世代の移動体通信および無線技術はまだ完全には定義されていないが、３ＧＰＰ内で進んだドラフト段階にある。それは、５Ｇ Ｎｅｗ Ｒａｄｉｏ（ＮＲ）アクセス技術に関する研究を含む。ロングタームエボリューション（ＬＴＥ）という用語は、異なる用語が５Ｇにおいて指定されているが、同等の５Ｇエンティティまたは機能性を含むように、本開示では将来を見越した意味で使用される。これまでの５Ｇ Ｎｅｗ Ｒａｄｉｏ（ＮＲ）アクセス技術に関する合意の一般的な説明は、３ＧＰＰ ＴＲ ３８．８０２ Ｖ１．０．０（２０１６−１１）に含まれている。最終的な仕様は、とりわけ将来の３ＧＰＰ ＴＳ ３８．２＊＊シリーズで公開される可能性がある。
【０００３】
次世代の移動無線通信システム（５ＧまたはＮＲ）は、多様なユースケースおよび多様な展開シナリオをサポートし得る。後者は、今日のＬＴＥと同様の低周波数（数百ＭＨｚ）と非常に高い周波数（数十ＧＨｚのミリ波）の両方での展開を含み得る。高周波数では、伝搬特性により、良好なカバレッジを達成するのは困難である。カバレッジ問題に対する１つの解決策は、満足のいくリンクバジェットを達成するために、通常はアナログ回路によって容易にされる高利得ビームフォーミングを使用することを含み得る。ビームフォーミングはまた、より低い周波数でも使用され（通常は主にデジタル回路を使用するデジタルビームフォーミング）、本質的には既に標準化されている３ＧＰＰ ＬＴＥシステム（４Ｇ）と同様であると予想される。
【０００４】
ＬＴＥのいくつかの重要な態様が本明細書に記載されている。特に関連性があるのは、チャネル状態情報基準信号（ＣＳＩ−ＲＳ）の説明である。同様の信号がＮＲに対しても設計されることが期待されており、以下の開示の主題である。
【０００５】
ｇＮｏｄｅＢ（ｇＮＢ）およびユーザ装置（ＵＥ）等の本明細書で使用される用語は非限定的であると見なされるべきであり、特にこれら２つの間の特定の階層関係を意味するものではない。一般に、「ｇＮＢ」は一般装置１への参照として、また「ＵＥ」は装置２としての参照として読むことができ、これら２つの一般的なデバイスはある無線チャネルを介して互いに通信する。あるいは、異なる通信システムにおいて、「ｇＮＢ」の代わりに「ｇＮｏｄｅＢ」などの他の用語を使用することができる。ここでは、ダウンリンクにおける無線送信に焦点が当てられているが、これらの技術はアップリンクにおいても同様に適用可能である。
【０００６】
ＬＴＥおよびＮＲは、ダウンリンクでは直交周波数分割多重（ＯＦＤＭ）を使用し、アップリンクでは離散フーリエ変換拡散（ＤＦＴ拡散）ＯＦＤＭまたはＯＦＤＭを使用する。図１は、基本的なＬＴＥダウンリンク物理リソースを示す。ＬＴＥは、ダウンリンクではＯＦＤＭを使用し、アップリンクではＤＦＴ拡散ＯＦＤＭを使用する。したがって、基本的なＬＴＥダウンリンク物理リソースは、時間−周波数グリッドと見なすことができ、各リソース要素（または時間／周波数リソース要素（ＴＦＲＥ））は、１つのＯＦＤＭシンボル間隔中に１つのＯＦＤＭサブキャリアに対応する。Δｆ＝１５ｋＨｚのサブキャリア間隔が図１に示されているが、異なるサブキャリア間隔の値がＮＲではサポートされる。ＮＲにおいてサポートされるサブキャリア間隔の値（異なる複数のヌメロロジ―（numerology）とも称される）は、Δｆ＝（１５×２α）により与えられ、ここでαは負でない整数である。
【０００７】
図２は、ＬＴＥ時間領域の構造を示す。時間領域において、ＬＴＥダウンリンク送信は、１０ｍｓ（ミリ秒）の無線フレームに編成される。各無線フレームは、長さＴｓｕｂｆｒａｍｅ＝１ｍｓの１０個の等しいサイズのサブフレームからなる。ＮＲでは、ＬＴＥと同様にサブフレーム長は１ｍｓに固定されている。ＮＲにおけるサブフレームは更に、それぞれ１４個のＯＦＤＭシンボルを有するいくつかのスロットに分割される。基準ヌメロロジー（１５×２α）ｋＨｚのスロット長は正確に２−αｍｓである。
【０００８】
ＬＴＥにおけるリソース割り当ては、通常、リソースブロックに関して説明され、リソースブロックは、時間領域では１スロット（０．５ｍｓ）に対応し、周波数領域では１２個の連続するサブキャリアに対応する。リソースブロックは、システム帯域幅の一方の端から０から始まり、周波数領域で番号が付けられる。ＮＲの場合、リソースブロックは周波数領域でも１２個のサブキャリアである。
【０００９】
ダウンリンク送信は動的にスケジュールされる。例えば、各サブフレームまたはスロットにおいて、ｇＮＢは、現在のダウンリンクサブフレームまたはスロットにおいて、どの端末にデータが送信され、どのリソースブロックにデータが送信されるかについての制御情報を送信し得る。この制御シグナリングは通常、ＬＴＥにおける各サブフレーム内の最初の１、２、３または４つのＯＦＤＭシンボル、およびＮＲにおけるスロットの１または２つのＯＦＤＭシンボルで送信される。ＬＴＥに対する制御として３個のＯＦＤＭシンボルを有するダウンリンクシステムが図３に示される。
【００１０】
マルチアンテナ技術は、無線通信システムのデータレートおよび信頼性を著しく高めることができる。送信機と受信機の両方が複数のアンテナを備えている場合、性能は特に改善され、それは多入力多出力（ＭＩＭＯ）通信チャネルをもたらす。そのようなシステムおよび／または関連技術は、一般にＭＩＭＯと呼ばれる。
【００１１】
ＮＲは現在、ＭＩＭＯサポートとともに進化している。ＮＲの中核となる要素は、ＭＩＭＯアンテナ配備と、より高いキャリア周波数でのビームフォーミングを含むＭＩＭＯ関連技術のサポートである。現在、ＬＴＥおよびＮＲは、チャネル依存プリコーディングを用いて最大３２個の送信（Ｔｘ）アンテナに対して８レイヤの空間多重化モードをサポートしている。空間多重化モードは、好ましいチャネル条件における高データレートを目的としている。
【００１２】
図４は、例示的な空間多重動作を示す。より具体的には、図４は、ＬＴＥおよびＮＲにおけるプリコーディング空間多重化モードの例示的な送信構造を示す。図示のように、情報搬送シンボルベクトルｓは、ＮＴ×ｒプリコーダ行列Ｗによって乗算され、これは送信エネルギーをＮＴ（ＮＴアンテナポートに対応する）次元ベクトル空間の部分空間（サブスペース）に分配するのに役立つ。プリコーダ行列は通常、可能なプリコーダ行列のコードブックから選択され、通常、所定の数のシンボルストリームについてコードブック内の一意のプリコーダ行列を指定するプリコーダ行列インジケータ（ＰＭＩ）によって示される。ｓ内のｒ個のシンボルはそれぞれレイヤに対応し、ｒは送信ランクと呼ばれる。このようにして、同じ時間／周波数リソース要素（ＴＦＲＥ）を介して複数のシンボルを同時に送信することができるので、空間多重化が達成される。シンボルの数ｒは、通常、現在のチャネル特性に合うように調整されている。
【００１３】
ＬＴＥおよびＮＲは、ダウンリンクにおいてＯＦＤＭを使用し、したがって、サブキャリアｎ（または代替としてデータＴＦＲＥ番号ｎ）上の特定のＴＦＲＥに対して受信されたＮＲ ｘ １ベクトルｙｎは、以下のようにモデル化される。
0006869351.tif 000002
ここでｅｎは、ランダムプロセスの実現として得られた雑音／干渉ベクトルである。プリコーダＷは、周波数にわたって一定であるか、または周波数選択的である、広帯域プリコーダであり得る。
【００１４】
プリコーダ行列は、ＮＲ×ＮＴ ＭＩＭＯチャネル行列Ｈｎの特性と一致するように選択されることが多く、その結果、いわゆるチャネル依存プリコーディングがもたらされる。これはまた、一般に閉ループプリコーディングとも呼ばれ、本質的に、送信エネルギーの大部分をＵＥに伝達するという意味で強い部分空間に集束することを目指している。更に、プリコーダ行列はまた、チャネルを直交化するように努めるように選択されてもよく、これは、ＵＥにおける適切な線形等化の後に、レイヤ間干渉が低減されることを意味する。
【００１５】
送信ランク、したがって空間的に多重化されたレイヤの数は、プリコーダの列数に反映される。効率的な性能のために、チャネル特性と一致する送信ランクが選択されることが重要である。
【００１６】
ＬＴＥおよびＮＲでは、チャネル状態情報、ＣＳＩ−ＲＳを推定する目的で基準信号が導入される。ＣＳＩ−ＲＳは、その目的のためにＬＴＥの以前のリリースで使用されていた共通基準記号（ＣＲＳ）にチャネル状態情報（ＣＳＩ）フィードバックを基づかせることよりもいくつかの利点を提供する。第１に、ＣＳＩ−ＲＳはデータ信号の復調には使用されず、したがってＣＲＳと同じ密度を必要としない（すなわち、ＣＳＩ−ＲＳのオーバーヘッドは実質的に少ない）。第２に、ＣＳＩ−ＲＳは、ＣＳＩフィードバック測定を設定するためのはるかに柔軟な手段を提供する（例えば、どのＣＳＩ−ＲＳリソースを測定するかは、ＵＥ特有の方法で設定することができる）。
【００１７】
ＣＳＩ−ＲＳを測定することによって、ＵＥは、無線伝搬チャネルおよびアンテナ利得を含めて、ＣＳＩ−ＲＳが通過している有効チャネルを推定することができる。より数学的に厳密に言えば、これは、既知のＣＳＩ−ＲＳ信号ｘが送信される場合、ＵＥは送信信号と受信信号との間の結合（すなわち、有効チャネル）を推定できることを意味する。したがって、送信において仮想化が実行されない場合、受信信号ｙは以下のように表すことができる。
0006869351.tif 000003
ここでも、ｅはランダムプロセスの実現として得られる雑音／干渉であり、ＵＥは有効チャネルＨを推定することができる。最大３２個のＣＳＩ−ＲＳポートを、ＬＴＥまたはＮＲのＵＥに対して設定することができる。すなわち、ＵＥは、最大３２個の送信アンテナポートからチャネルを推定することができる。
【００１８】
アンテナポートは、ＵＥがチャネルを測定するために使用する基準信号リソースに相当する。したがって、２つのアンテナを有するｇＮＢは、２つのＣＳＩ−ＲＳポートを定義することができ、ここで、各ポートはサブフレームまたはスロット内の時間周波数グリッドにおけるリソース要素のセットである。基地局は、ＵＥが２つの無線チャネルを測定し、これらの測定に基づいてチャネル状態情報を基地局に報告できるように、２つのアンテナのそれぞれからこれら２つの基準信号のそれぞれを送信する。ＬＴＥでは、１、２、４、８、１２、１６、２０、２４、２８および３２ポートを有するＣＳＩ−ＲＳリソースがサポートされる。
【００１９】
ＬＴＥでは、ＣＳＩ−ＲＳは、長さ２の直交カバーコード（ＯＣＣ）を利用して、２つの連続するリソース要素（ＲＥ）上の２つのアンテナポートを重ね合わせる（オーバーレイする）。図５Ａ〜図５Ｃは、リソースエレメントグリッドを示す。より具体的には、図５Ａ〜図５Ｃは、ＬＴＥリリース９／１０のＵＥ固有ＲＳ、ＣＳＩ−ＲＳ（ＣＳＩ−ＲＳアンテナポートに対応する番号が付されている）、およびＣＲＳの潜在的な位置を示すリソースブロック（ＲＢ）ペアにわたるＲＥグリッドを示す。ＣＳＩ−ＲＳは、長さ２の直交カバーコード（ＯＣＣ）を利用して、２つの連続するＲＥ上の２つのアンテナポートを重ね合わせる。図５Ａ〜図５Ｃに示すように、多くの異なるＣＳＩ−ＲＳパターンが利用可能である。２つのＣＳＩ−ＲＳアンテナポートの場合、サブフレーム内に２０の異なるパターンがあることが分かる。対応するパターンの数は、４個と８個のＣＳＩ−ＲＳアンテナポートに対して、それぞれ１０と５である。ＴＤＤに対しては、いくつかの追加的なＣＳＩ−ＲＳパターンが利用可能である。
【００２０】
ＴＳ ３６．２１１ ｖ１２．５．０から引用した、ＣＳＩ基準信号設定を以下の表（Table）６．１０．５．２−１に示す。例えば、４アンテナポートに対するＣＳＩ ＲＳ設定５は、スロット１（サブフレームの第２のスロット）において（ｋ'、１'）＝（９，５）を使用する。以下の式を使用して、ポート１５、１６がリソース要素（ｋ，ｌ）＝（９，５）、（９，６）に対してＯＣＣを使用し、ポート１７、１８がリソース要素（３，５）、（３，６）に対してＯＣＣを使用することをそれぞれ決定することができる（物理リソースブロック（ＰＲＢ）インデックスｍ＝０と仮定する）。ここで、ｋは各サブキャリア内のサブキャリアインデックスであり、ｌはＯＦＤＭシンボルインデックスである。
【００２１】
ＯＣＣは以下のファクタｗｌ’’によって導入される。
0006869351.tif 000004
0006869351.tif 000005
【００２２】
ＮＲでは、以下の３種類のＣＳＩ−ＲＳ送信がサポートされる。
・非周期的なＣＳＩ−ＲＳ送信：これは、任意のサブフレームまたはスロットで発生する可能性があるワンショットＣＳＩ−ＲＳ送信である。ここで、ワンショットとは、ＣＳＩ−ＲＳ送信が１つのスロットまたはサブフレーム内のトリガごとに１回だけ行われることを意味する。非周期的ＣＳＩ−ＲＳに対するＣＳＩ−ＲＳリソース（すなわち、サブキャリア位置およびＯＦＤＭシンボル位置からなるリソースエレメント位置）は、上位レイヤシグナリングを介してＵＥに事前設定される。非周期的ＣＳＩ−ＲＳの送信は、動的シグナリングによって引き起こされる。
・周期的なＣＳＩ−ＲＳ送信：これらのＣＳＩ−ＲＳ送信は、上位レイヤシグナリングによって事前設定され、当該事前設定は、周期性およびＬＴＥと同様のサブフレームまたはスロットオフセットなどのパラメータを含む。周期的ＣＳＩ−ＲＳは上位レイヤシグナリングによってのみ制御され、動的シグナリングは周期的ＣＳＩ−ＲＳ送信をトリガするために必要とされない。すなわち、周期的ＣＳＩ−ＲＳ送信は、構成されたパラメータに従ってＲＲＣ構成に従って開始する。
・半永続的（セミパーシステント）ＣＳＩ−ＲＳ送信：周期的ＣＳＩ−ＲＳと同様に、半永続的ＣＳＩ−ＲＳ送信のためのリソースは、周期性およびサブフレームまたはスロットオフセットといったパラメータを用いた上位レイヤシグナリングを介して事前設定される。しかしながら、周期的ＣＳＩ−ＲＳとは異なり、動的割り当てシグナリングは、事前設定されたリソース上で半永続的ＣＳＩ−ＲＳの送信を開始するために必要とされる。図６は、限られた時間期間（図では「半永続的ＣＳＩ−ＲＳが割り当てられている期間」と呼ばれる）に対して送信される半永続的ＣＳＩ−ＲＳを示している。場合によっては、半永続的ＣＳＩ−ＲＳの送信を停止するために動的割り当て解除シグナリングが必要とされる。
【００２３】
複数の種類のＣＳＩ−ＲＳ送信に加えて、ＮＲはまた、複数の種類のＣＳＩ報告をサポートする。以下の種類のＣＳＩ報告がＮＲでサポートされる予定である。
・非周期的なＣＳＩ報告：この種類のＣＳＩ報告は、ｇＮＢによって動的にトリガされる、ＵＥによるシングルショット（すなわち、１回）ＣＳＩ報告を含む。
・周期的なＣＳＩ報告：ＣＳＩは周期的にＵＥにより報告される。周期性およびサブフレームまたはスロットオフセットといったパラメータは、上位レイヤシグナリングによって設定される。
・半永続的ＣＳＩ報告：周期的ＣＳＩ報告と同様に、半永続的ＣＳＩ報告は周期性およびサブフレームまたはスロットオフセットを有する。しかしながら、半永続的ＣＳＩ報告を開始するために動的なトリガが必要とされるかもしれない。場合によっては、半永続的ＣＳＩ報告を停止するために動的なトリガが必要とされるかもしれない。
【００２４】
異なるＣＳＩ−ＲＳ種類を異なるＣＳＩ報告種類に関連付けることに関して、以下の組み合わせがＮＲにおいてサポートされるであろう。
・非周期的ＣＳＩ−ＲＳを用いた非周期的ＣＳＩ報告
・半永続的／周期的ＣＳＩ−ＲＳを用いた非周期的ＣＳＩ報告
・半永続的または周期的なＣＳＩ−ＲＳを用いた半永続的または周期的なＣＳＩ報告
【００２５】
ＬＴＥ制御シグナリングは、物理ダウンリンク制御チャネル（ＰＤＣＣＨ）または物理アップリンク制御チャネル（ＰＵＣＣＨ）上の制御情報、物理アップリンク共有チャネル（ＰＵＳＣＨ）、媒体アクセス制御エレメント（ＭＡＣ−ＣＥ）、またはＲＲＣシグナリングに埋め込まれる制御情報を搬送することを含む様々な方法で搬送され得る。これらのメカニズムはそれぞれ、特定の種類の制御情報を搬送するようにカスタマイズされている。
【００２６】
ＰＤＣＣＨ、ＰＵＣＣＨ上で搬送される制御情報またはＰＵＳＣＨに埋め込まれる制御情報は、３ＧＰＰ ＴＳ ３６．２１１、３６．２１２、および３６．２１３、または対応する３８シリーズの使用に記載されるようなダウンリンク制御情報（ＤＣＩ）、アップリンク制御情報（ＵＣＩ）といった物理レイヤ関連制御情報である。ＤＣＩは、一般に、何らかの物理レイヤ機能を実行するようにＵＥに指示し、その機能を実行するために必要な情報を提供するために使用される。ＵＣＩは、一般に、ハイブリッド自動再送要求−確認応答（ＨＡＲＱ−ＡＣＫ）、スケジューリング要求（ＳＲ）、チャネル品質情報（ＣＱＩ）を含むチャネル状態情報（ＣＳＩ）、プリコーディング行列インジケータ（ＰＭＩ）、ランクインジケータ（ＲＩ）、および／または競合解決アイデンティティ（ＣＲＩ）といった必要な情報をネットワークに提供する。ＵＣＩおよびＤＣＩは、サブフレームごとに送信することができ、したがって、高速フェージング無線チャネルとともに変化し得るものを含む、急速に変化するパラメータをサポートするように設計されている。ＵＣＩおよびＤＣＩは全てのサブフレームで送信されることができるので、所与のセルに対応するＵＣＩまたはＤＣＩは、制御オーバーヘッドの量を制限するために、数十ビット程度になる傾向がある。
【００２７】
ＭＡＣ ＣＥで搬送される制御情報は、３ＧＰＰ ＴＳ ３６．３２１に記載されているように、アップリンクおよびダウンリンク共有トランスポートチャネル（ＵＬ−ＳＣＨおよびＤＬ−ＳＣＨ）上のＭＡＣヘッダで搬送される。ＭＡＣヘッダは固定サイズを持たないので、ＭＡＣ ＣＥ内の制御情報はそれが必要とされるときに送信することができ、そして必ずしも固定オーバーヘッドを表すわけではない。更に、ＭＡＣ ＣＥは、ＵＬ−ＳＣＨまたはＤＬ−ＳＣＨトランスポートチャネルで搬送されるので、より大きな制御ペイロードを効率的に搬送することができ、これはリンクアダプテーション、ＨＡＲＱから利益を得て、ターボ符号化することができる。ＭＡＣ  ＣＥは、タイミングアドバンスの維持やバッファステータスの報告といった、固定されたパラメータのセットを使用する反復タスクを実行するために使用されるが、これらのタスクは通常、サブフレームごとまたはスロットごとベースでのＭＡＣ  ＣＥの送信を必要としない。したがって、ＰＭＩ、ＣＱＩ、ＲＩ、およびＣＲＩなどの高速フェージング無線チャネルに関連するチャネル状態情報は、Ｒｅｌ−１４までのＬＴＥのＭＡＣ ＣＥでは搬送されない。
【００２８】
半永続的ＣＳＩ−ＲＳの送信を開始するための動的割り当てシグナリングに関して、１つの解決策はＭＡＣ ＣＥベースの指示（インジケーション／指標）を使用することである。図７は、半永続的ＣＳＩ−ＲＳ送信を開始するためのＭＡＣ ＣＥベースの動的割り当てシグナリングの例を示す。このＭＡＣ ＣＥベースの解決策では、一般に、動的割り当てシグナリングと半永続的ＣＳＩ−ＲＳ測定の開始との間に、Ｘとして示される遅延がある。この遅延には以下が含まれる。
・ＵＥでのＭＡＣ  ＣＥ復号遅延
・ＵＥからｇＮＢに送信される動的割り当て信号上のＨＡＲＱ  ＡＣＫ／ＮＡＣＫフィードバックによる時間遅延
したがって、半永続的ＣＳＩ−ＲＳ測定を開始するためのＭＡＣ ＣＥベースの動的割り当てに関する大きな問題は、それが長い割り当て待ち時間を伴うことである。この時間ギャップＸは、ＭＡＣ ＣＥ復号遅延およびＨＡＲＱ ＡＣＫ／ＮＡＣＫフィードバック遅延などによって決定されるので、ｇＮＢは、動的割り当てと半永続的ＣＳＩ−ＲＳ測定の開始との間の時間ギャップをあまり制御しない。
【００２９】
半永続的ＣＳＩ−ＲＳの送信を停止するための動的割り当て解除シグナリングに関して、１つの解決策はＭＡＣ ＣＥベースの指示を使用することである。図８は、半永続的ＣＳＩ−ＲＳ送信を停止するためのＭＡＣ ＣＥベースの動的割り当て解除シグナリングの例を示す。図８では、動的割り当て解除信号と半永続的ＣＳＩーＲＳ測定の終了との間の遅延は、Ｙとして示されている。上述の理由により、半永続的ＣＳＩ−ＲＳを停止するためのＭＡＣ ＣＥベースの動的割り当て解除に関する大きな問題は、それが長い解除遅延を伴うということである。このタイムギャップＹは、ＭＡＣ ＣＥ復号遅延およびＨＡＲＱ ＡＣＫ／ＮＡＣＫフィードバック遅延などによって決定されるので、ｇＮＢは、動的割り当て解除と半永続的ＣＳＩ−ＲＳ測定の停止との間のタイムギャップをあまり制御しない。
【００３０】
半永続的ＣＳＩ−ＲＳ測定の開始または停止を動的に示すための別の解決策はＤＣＩを使用することである。図９は、半永続的ＣＳＩ−ＲＳ測定と半永続的ＣＳＩ報告との組み合わせに関する問題を示しているが、上記の問題は、半永続的ＣＳＩ−ＲＳが半永続的ＣＳＩ−ＲＳ測定のための非周期的（シングルショット）ＣＳＩ報告ＤＣＩベースの動的指示と組み合わされて、上述のタイムギャップＸおよびＹのより良好な制御を提供する場合にも存在する。しかしながら、ＤＣＩの受信に関連付けられたＨＡＲＱ確認応答がないので、ｇＮＢは、ＵＥがＤＣＩ指示を成功裏に受信したかどうかを知らない。したがって、信頼性は、半永続的ＣＳＩ−ＲＳ測定を開始／停止するためのＤＣＩベースの動的指示に関連する問題である。
【００３１】
図７〜図９は、半永続的ＣＳＩ−ＲＳ測定と半永続的ＣＳＩ報告との組み合わせに関する問題を示しているが、半永続的ＣＳＩ−ＲＳが非周期的（シングルショット）ＣＳＩ報告と組み合わされる場合にも上記の問題が存在する。
【発明の概要】
【００３２】
既存の解決策に関する前述の問題に対処するために、半永続的ＣＳＩ−ＲＳに対する信頼できる動的指示のためのシステムおよび方法が開示される。特定の実施形態によれば、半永続的ＣＲＩ−ＲＳリソースに対する測定を開始するためにネットワークノードから動的割り当てシグナリングを受信することを含む無線デバイスにおける方法が提供される。第１の測定はＣＳＩ−ＲＳリソースに対して行われる。第１の測定のみに基づく第１のＣＳＩ報告がネットワークノードに送信される。動的割り当てシグナリングとは異なるトリガメッセージがネットワークノードから受信される。トリガメッセージは半永続的ＣＳＩ報告をトリガし、無線デバイスは半永続的報告を開始する。
【００３３】
特定の実施形態によれば、命令を格納するメモリと、無線ノードに動的割り当てシグナリングを受信させて半永続的ＣＲＩ−ＲＳリソースの測定を開始させるための当該命令を実行するように動作可能な処理回路とを有する無線デバイスが提供される。ＣＳＩ−ＲＳリソースの第１の測定が実行され、第１の測定のみに基づく第１のＣＳＩ報告がネットワークノードに送信される。動的割り当てシグナリングとは異なるトリガメッセージがネットワークノードから受信される。トリガメッセージは半永続的ＣＳＩ報告をトリガし、無線デバイスは半永続的報告を開始する。
【００３４】
特定の実施形態によれば、ネットワークノードにおける方法は、半永続的ＣＳＩ−ＲＳリソースの測定を開始するために無線デバイスに動的割り当てシグナリングを送信することを含む。動的割り当てシグナリングに応答して第１のＣＳＩ報告が無線デバイスによって送信されるか（されたか）どうかが判定され、動的割り当てトリガに応答して第１のＣＳＩ報告が受信されたかどうかに基づいて行動がとられる。
【００３５】
特定の実施形態によれば、ネットワークノードは、命令を格納するメモリと、処理回路とを有し、当該処理回路はネットワークノードに、動的割り当てシグナリングを送信させ、半永続的ＣＳＩ−ＲＳリソースの測定を開始させるための当該命令を実行するように動作可能である。動的割り当てシグナリングに応答して第１のＣＳＩ報告が無線デバイスによって送信されるか（されたか）どうかが判定され、動的割り当てトリガに応答して第１のＣＳＩ報告が受信されたかどうかに基づいて行動がとられる。
【００３６】
本開示の特定の実施形態は、１つ以上の技術的利点を提供し得る。例えば、特定の実施形態は、ＭＡＣ ＣＥベースの割り当て／割り当て解除などの方式に関連する長い割り当て／割り当て解除待ち時間を回避することができる。特定の実施形態によれば、技術的利点は、半永続的ＣＳＩ−ＲＳ測定が起動／割り当てトリガと同じサブフレームまたはスロット内で起こり得ることであり得る。さらに別の技術的利点は、ＭＡＣ ＣＥベースの手法と同様の信頼性を有する、半永続的ＣＳＩ−ＲＳ測定（したがってＣＳＩ−ＲＳのｇＮＢ送信）を開始または停止するためのＤＣＩベースの割り当てまたは割り当て解除の高い信頼性であり得る。
【００３７】
他の利点は当業者には容易に明らかであろう。特定の実施形態は、列挙された利点のうちのどれも、いくつか、またはすべてを有し得る。
【図面の簡単な説明】
【００３８】
開示された実施形態ならびにそれらの特徴および利点をより完全に理解するために、添付の図面と併せて以下の説明を参照する。
【図１】図１は、基本的なロングタームエヴォリューション（ＬＴＥ）ダウンリンク物理リソースを示す。
【図２】図２は、ＬＴＥ時間領域の構造を示す。
【図３】図３は、ＬＴＥに対する制御として３つの直交周波数分割多重（ＯＦＤＭ）シンボルを有するダウンリンクシステムを示す。
【図４】図４は、例示的な空間多重動作を示す。
【図５Ａ】図５Ａは、リソースエレメントグリッドを示す。
【図５Ｂ】図５Ｂは、リソースエレメントグリッドを示す。
【図５Ｃ】図５Ｃは、リソースエレメントグリッドを示す。
【図６】図６は、限定された期間にわたって送信される半永続的チャネル状態情報基準信号（ＣＳＩ−ＲＳ）を示す。
【図７】図７は、半永続的ＣＳＩ−ＲＳ送信を開始するための媒体アクセス制御エレメント（ＭＡＣ ＣＥ）ベースの動的割り当てシグナリングの例を示す。
【図８】図８は、半永続的ＣＳＩ−ＲＳ送信を停止するためのＭＡＣ ＣＥベースの動的割り当て解除シグナリングの例を示す。
【図９】図９は、半永続的ＣＳＩ−ＲＳ測定と半永続的チャネル状態情報（ＣＳＩ）報告との組み合わせに関する問題を示す図である。
【図１０】図１０は、特定の実施形態による、非周期的ＣＳＩ報告を用いた半永続的ＣＳＩ−ＲＳのための例示的な信頼できるダウンリンク制御情報（ＤＣＩ）ベースの動的割り当てを示す。
【図１１】図１１は、特定の実施形態による、半永続的ＣＳＩ報告を用いた半永続的ＣＳＩ−ＲＳのための例示的な信頼できるＤＣＩベースの動的割り当てを示す。
【図１２】図１２は、特定の実施形態による、半永続的ＣＳＩ報告を用いた半永続的ＣＳＩ−ＲＳのための例示的な信頼できるＤＣＩの動的割り当て解除を示す。
【図１３】図１３は、特定の実施形態による、半永続的ＣＳＩ−ＲＳに対する信頼できる動的指示のための例示的なネットワークを示す。
【図１４】図１４は、特定の実施形態による、半永続的ＣＳＩ−ＲＳに対する信頼できる動的指示を容易にするための例示的な無線デバイスを示す。
【図１５】図１５は、特定の実施形態による、より高いレイヤによって構成されたＣＳＩ−ＲＳリソースに対する半永続的ＣＳＩ測定を開始するための例示的な方法を示す。
【図１６】図１６は、特定の実施形態による、より高いレイヤによって構成されたＣＳＩ−ＲＳリソースに対する半永続的ＣＳＩ測定を終了させるための例示的な方法を示す。
【図１７】図１７は、特定の実施形態による、半永続的ＣＳＩ−ＲＳに対する信頼できる動的指示を容易にするための無線デバイスによる例示的な方法を示す。
【図１８】図１８は、特定の実施形態による、半永続的ＣＳＩ−ＲＳに対する信頼できる動的指示のための例示的なネットワークノードを示す。
【図１９】図１９は、特定の実施形態による、より高いレイヤによって構成されたＣＳＩ−ＲＳリソースに対する半永続的ＣＳＩ測定を開始するためのネットワークノードによる例示的な方法を示す。
【図２０】図２０は、特定の実施形態による、より高いレイヤによって構成されたＣＳＩ−ＲＳリソースに対する半永続的ＣＳＩ測定を終了させるためのネットワークノードによる例示的な方法を示す。
【図２１】図２１は、特定の実施形態による、半永続的ＣＳＩ−ＲＳに対する信頼できる動的指示のための例示的なネットワークコントローラまたはコアネットワークノードを示す。
【発明を実施するための形態】
【００３９】
本開示の特定の実施形態は、半永続的チャネル状態情報基準信号（ＣＳＩ−ＲＳ）に対する信頼性のある動的指示の解決策を提供することができる。具体的には、特定の実施形態は、半永続的ＣＳＩ−ＲＳ測定に対する信頼できるダウンリンク制御情報（ＤＣＩ）ベースの動的割り当て／割り当て解除を提供することができる。いくつかのそのような実施形態では、無線デバイスにおける半永続的ＣＳＩ−ＲＳ測定は、動的ＤＣＩベースの割り当てシグナリングを用いて開始される。信頼性を確実にするために、一実施形態では、無線デバイスがｇＮｏｄｅＢ（ｇＮＢ）から半永続的ＣＳＩ−ＲＳのＤＣＩベースの動的割り当てを受信した後、無線デバイスは半永続的ＣＳＩ−ＲＳの最初のインスタンスと無線を測定し、無線デバイスは、第１の測定に基づいて第１の非周期的チャネル状態情報（ＣＳＩ）報告をｇＮＢに送信する。対照的に、以前の報告システムによれば、非周期的ＣＳＩ報告を有するように構成された無線デバイスは、半永続的割り当てを成功裏に受信することに応答して測定を開始するが、非周期的ＣＳＩトリガを受信するまでＣＳＩ報告を送信しない。しかしながら、本明細書に記載の実施形態によれば、第１の非周期的ＣＳＩ報告は、半永続的ＣＳＩ−ＲＳ割り当てトリガによってトリガされる。ｇＮＢは、この第１の非周期的ＣＳＩ報告を使用して、ＵＥが動的割り当てＤＣＩ指示を成功裏に受信したことを検証することができる。
【００４０】
他の特定の実施形態によれば、半永続的ＣＳＩ−ＲＳ測定トリガの後に、個別の非周期的ＣＳＩ測定報告トリガがｇＮＢから無線デバイスに送信されてもよく、それによってｇＮＢはＣＳＩ報告を使用して、無線デバイスによるワイヤレスデバイスによる半永続的ＣＳＩ−ＲＳトリガの成功裏な受信を確認できる。
【００４１】
更に別の実施形態によれば、半永続的ＣＳＩ報告は、半永続的ＣＳＩ−ＲＳ測定値と同じＤＣＩと同時にｇＮＢによって無線デバイス内でトリガされてもよく、その後、ｇＮＢは半永続的ＣＳＩ報告を使用してＵＥが正しくトリガを受信したかを検証することができる。
【００４２】
したがって、例示的な実施形態では、半永続的ＣＳＩ−ＲＳ測定を停止するためのＤＣＩベースの動的割り当て解除の信頼性を保証するために、ｇＮＢから半永続的ＣＳＩ−ＲＳのＤＣＩベースの動的割り当て解除を受信した後、無線デバイスは、半永続的ＣＳＩ−ＲＳの測定を停止する。無線デバイスがＤＣＩベースの動的割り当て解除指示を成功裏に受信した場合、無線デバイスは、ＤＣＩベースの動的割り当て解除指示の後に（すなわち、半永続的ＣＳＩ−ＲＳ測定がＤＣＩベースの動的割り当て解除指示により停止されたので）更なる半永続的ＣＳＩ報告を送信しない。したがって、更なる半永続的ＣＳＩ報告を受信しないことは、無線デバイスが動的割り当て解除ＤＣＩ指示を成功裏に受信したことを検証するためにｇＮＢによって使用されることができる。別の言い方をすれば、ｇＮＢの観点から、ＤＣＩベースの動的割り当て解除指示の後に更なる半永続的ＣＳＩ報告を受信することは、動的割り当て解除ＤＣＩ指示が成功裏に受信されたという否定的な確認応答である。次いで、ｇＮＢは、割り当て解除指示の再送を開始することによって反応し得る。
【００４３】
特定の実施形態が図面の図１０〜図２１に記載されており、様々な図面の同様の部分および対応する部分には同様の番号が使用されている。図１０は、特定の実施形態による、非周期的ＣＳＩ報告を用いた半永続的ＣＳＩ−ＲＳのための例示的な信頼できるＤＣＩベースの動的割り当てを示す。具体的には、ＤＣＩベースの動的割り当ての信頼性を保証し、半永続的ＣＳＩ−ＲＳに対して無線デバイス内で測定を開始するために、そしておそらくｇＮＢからのＣＳＩ−ＲＳ送信を開始するために、メカニズムが使用される。無線デバイスにおいて測定をトリガすることは必ずしもＣＳＩ−ＲＳ送信が開始されることを意味するわけではなく、ＣＳＩ−ＲＳは他のサービスされる無線デバイスによる測定に使用されるより早いスロットにも存在し得る。したがって、無線デバイスにおける測定のトリガを説明するとき、それは、ｇＮＢが対応するＣＳＩ−ＲＳの送信を開始することを意味し、またはそのＣＳＩ−ＲＳがより早く開始された場合、ｇＮＢが単にそのＣＳＩ−ＲＳを送信し続けることを意味し得る。このメカニズムでは、ｇＮＢはＤＣＩを（場合によっては物理ダウンリンク制御チャネル（ＰＤＣＣＨ）を介して）半永続的ＣＳＩ−ＲＳ測定の開始を示す通知とともに送信する。指示はアップリンクデータグラントに含まれてもよい。場合によっては、第１のＣＳＩ−ＲＳ測定（したがってＣＳＩ−ＲＳ送信）は、ＰＤＣＣＨと同じサブフレームまたはスロット内で行われてもよい。ｇＮＢから半永続的ＣＳＩ−ＲＳのＤＣＩベースの動的割り当てを受信した後、無線デバイスは、半永続的ＣＳＩ−ＲＳ送信の第１のインスタンスを測定し、第１の測定に基づく第１の非周期的ＣＳＩ報告を、アップリンクデータグラントに割り当てられたアップリンクリソースを介して、ｇＮＢに送信する。ｇＮＢは、この第１の非周期的ＣＳＩ報告を使用して、無線が動的割り当てＤＣＩ指示を成功裏に受信したことを検証し得る。ｇＮＢがＤＣＩを介して動的割り当てを送信した後に非周期的ＣＳＩ報告を受信せず、またＣＳＩ復号エラーも有さない場合、ｇＮＢは、無線デバイスが動的ＤＣＩ割り当てを成功裏に受信しなかったと仮定し、動的ＤＣＩ割り当てを無線デバイスに再送する。
【００４４】
第１の非周期的ＣＳＩ報告が正しく受信され、ＤＣＩベースの動的割り当て信号が無線デバイスによって成功裏に受信されたと見なされる場合、半永続的ＣＳＩ−ＲＳのｇＮＢ送信および無線デバイス測定は、図１０に示すように予め設定された周期で続く。したがって、図１０に示されるように、最初の非周期的ＣＳＩ報告のみがＤＣＩベースの動的割り当て信号によってトリガされ、別々の非周期的ＣＳＩトリガは後続の非周期的ＣＳＩ報告をトリガすることになる。すなわち、ＤＣＩベースの動的割り当ては、半永続的ＣＳＩ−ＲＳ測定の開始と最初の非周期的ＣＳＩ報告の要求の両方をシグナリングする。
【００４５】
動的割り当てに対して使用されるＤＣＩには、少なくとも以下のフィールドのいくつかが含まれている。
・半永続的ＣＳＩ−ＲＳ測定開始の指示
・半永続的ＣＳＩ−ＲＳ設定インテックスの指示
・アップリンクリソース割り当てと、関連する変調および符号化率
【００４６】
他の特定の実施形態では、半永続的ＣＳＩ−ＲＳ測定（値）（およびＣＳＩ−ＲＳがまだ送信されていない場合にはｇＮＢからの送信の可能な開始）は、半永続的ＣＳＩ報告と組み合わされる。図１１は、半永続的ＣＳＩ−ＲＳ測定および半永続的ＣＳＩ報告が異なるＤＣＩ指示によって引き起こされる、信頼性のあるＤＣＩベースの動的割り当てを示す。この場合、半永続的ＣＳＩ−ＲＳ測定を開始するためのＤＣＩベースの動的割り当ての信頼性を保証するために、半永続的ＣＳＩ−ＲＳ測定の最初のインスタンスの直後に続くシングルショットＣＳＩ報告がｇＮＢによって使用することができ、無線デバイスが動的割り当てＤＣＩを成功裏に受信したことを確認する。このシングルショットＣＳＩ報告は、半永続的ＣＲＩ−ＲＳ送信の最初のインスタンスに関する無線デバイスの測定値をキャプチャする。ｇＮＢがＤＣＩを介して動的割り当てを送信した後にシングルショットＣＳＩ報告を受信しない場合、ｇＮＢは、無線デバイスが動的ＤＣＩ割り当てを成功裏に受信しなかったと仮定し、動的ＤＣＩ割り当てを無線デバイスに再送する。図１１に示されるように、シングルショットＣＳＩ報告のみがＤＣＩベースの動的割り当て信号によってトリガされ、別個の半永続的ＣＳＩトリガが半永続的ＣＳＩ報告を開始する。すなわち、ＤＣＩベースの動的割り当て信号は、半永続的ＣＳＩ−ＲＳ測定を開始し（そしておそらくＣＳＩ−ＲＳのｇＮＢ送信を開始し）、そしてまた、シングルショットＣＳＩ報告をトリガする。
【００４７】
更に別の実施形態では、半永続的ＣＳＩ−ＲＳ測定および半永続的ＣＳＩ報告は、単一のＤＣＩを使用してトリガまたは起動されてもよい。この場合、半永続的ＣＳＩ−ＲＳ測定は、実施形態２および３と同じ方法でＤＣＩによってトリガされる。しかしながら、半永続的ＣＳＩ報告も同じＤＣＩによって起動される。例えば、無線デバイスがＤＣＩを受信するとき、それは、半永続的ＣＳＩ−ＲＳ送信が、ＤＣＩが受信されるものと同じサブフレームまたはスロットで開始すると仮定し、ＵＥは設定されたＣＲＩ−ＲＳに基づいてＣＳＩの測定を開始し、設定された報告周期およびサブフレームまたはスロットオフセットに従ってＣＳＩを定期的に報告する。ｇＮＢが無線デバイスから設定されたサブフレームまたはスロットでＣＳＩを成功裏に受信すれば、半永続的ＣＳＩ−ＲＳ測定は成功裏に開始され、そうでなければ、ｇＮＢが期待されるＣＳＩ報告を成功裏に検出しなければ、開始は成功せず、別のＤＣＩがＵＥに送信されて、半永続的ＣＳＩ−ＲＳ測定が開始されるであろう。
【００４８】
メカニズムを使用して、ＤＣＩベースの動的割り当て解除の信頼性を確保し、半永続的ＣＳＩ−ＲＳ測定を停止することもできる（そして、他の無線デバイスがこのＣＳＩ−ＲＳを測定していない場合はｇＮＢからのＣＳＩ−ＲＳ送信を停止することもできる）。図１２は、半永続的ＣＳＩ報告を用いた半永続的ＣＳＩ−ＲＳに対する信頼できるＤＣＩベースの動的割り当て解除を示す。図示の実施形態によれば、ｇＮＢから半永続的ＣＳＩ−ＲＳのＤＣＩベースの動的割り当て解除を受信した後、無線デバイスは、半永続的ＣＳＩ−ＲＳ送信が、ＤＣＩが受信されたサブフレームまたはスロットの後に停止されたと仮定し、ゆえに、半永続的ＣＳＩ−ＲＳの測定を停止する。無線デバイスがＤＣＩベースの動的割り当て解除指示を成功裏に受信した場合、無線デバイスは、ＤＣＩベースの動的割り当て解除指示の後に（すなわち、半永続的ＣＳＩ−ＲＳ送信がＤＣＩベースの動的割り当て解除指示により停止されたので）更なる半永続的ＣＳＩ報告を送信しない。したがって、更なる半永続的ＣＳＩ報告を受信しないことは、無線デバイスが動的割り当て解除ＤＣＩ指示を成功裏に受信したことを検証するためにｇＮＢによって使用されることができる。別の言い方をすれば、ｇＮＢの観点から、ＤＣＩベースの動的割り当て解除指示の後に更なる半永続的ＣＳＩ報告を受信することは、動的割り当て解除ＤＣＩ指示が成功裏に受信されたという否定的な確認応答である。ｇＮＢがＤＣＩを介して動的割り当て解除を送信した後に更なる半永続的ＣＳＩ報告を受信した場合、ｇＮＢは、無線デバイスが動的ＤＣＩ割り当て解除を成功裏に受信しなかったと仮定し、動的ＤＣＩ割り当て解除を無線デバイスに再送する。「更なる半永続的ＣＳＩ報告を受信しない」および「更なる半永続的ＣＳＩ報告を受信する」の両方は、ＣＳＩ報告が正しく復号されたか誤って復号されたかによって示すことができる検出の信頼性を確保するために、複数の報告インスタンスが監視され得る。
【００４９】
図１３は、特定の実施形態に従う、半永続的ＣＳＩ−ＲＳに対する信頼できる動的指示のための無線ネットワーク１００の実施形態を示すブロック図である。ネットワーク１００は、同義に無線デバイス１１０またはＵＥ１１０と呼ばれることがある１つ以上の無線デバイス１１０Ａ〜１１０Ｃ、および同義にネットワークノード１１５またはｅＮｏｄｅＢ１１５と呼ばれることがあるネットワークノード１１５Ａ〜１１５Ｃを含む。無線デバイス１１０は無線インタフェースを介してネットワークノード１１５と通信し得る。例えば、無線デバイス１１０Ａは、無線信号を１つ以上のネットワークノード１１５に送信し、および／または１つ以上のネットワークノード１１５から無線信号を受信し得る。無線信号は、音声トラフィック、データトラフィック、制御信号、および／または任意の他の適切な情報を含み得る。いくつかの実施形態では、ネットワークノード１１５に関連付けられた無線信号カバレッジのエリアはセルと呼ばれることがある。いくつかの実施形態では、無線デバイス１１０は、デバイス・ツー・デバイス（Ｄ２Ｄ）機能を有し得る。したがって、無線デバイス１１０は、別の無線デバイス１１０から直接信号を受信すること、および／または別の無線デバイス１１０に信号を直接送信することが可能であり得る。例えば、無線デバイス１１０Ａは無線デバイス１１０Ｂから信号を受信し、および／または無線デバイス１１０Ｂに信号を送信することが可能であり得る。
【００５０】
特定の実施形態では、ネットワークノード１１５は無線ネットワークコントローラ（図１３には示されていない）と結合し得る。無線ネットワークコントローラは、ネットワークノード１１５を制御してもよく、特定の無線リソース管理機能、モビリティ管理機能、および／または他の適切な機能を提供し得る。特定の実施形態では、無線ネットワークコントローラの機能はネットワークノード１１５に含まれ得る。無線ネットワークコントローラは、コアネットワークノードと結合し得る。特定の実施形態では、無線ネットワークコントローラは、相互接続ネットワークを介してコアネットワークノードと結合し得る。相互接続ネットワークは、オーディオ、ビデオ、信号、データ、メッセージ、またはそれらの任意の組み合わせを送信することができる任意の相互接続システムを指すことができる。相互接続ネットワークは、公衆交換電話網（ＰＳＴＮ）、公衆または私設データネットワーク、ローカルエリアネットワーク（ＬＡＮ）、メトロポリタンエリアネットワーク（ＭＡＮ）、広域ネットワーク（ＷＡＮ）、インターネットといったローカル、地域、またはグローバル通信またはコンピュータネットワーク、有線または無線ネットワーク、企業イントラネット、またはそれらの組み合わせを含む任意の他の適切な通信リンクの全部または一部を含み得る。
【００５１】
いくつかの実施形態では、コアネットワークノードは、通信セッションの確立および無線デバイス１１０のための他のさまざまな機能を管理し得る。無線デバイス１１０は、非アクセス階層層を使用してコアネットワークノードと特定の信号を交換し得る。非アクセス層シグナリングでは、無線デバイス１１０とコアネットワークノードとの間の信号は、無線アクセスネットワークを透過的に通過し得る。特定の実施形態では、ネットワークノード１１５は、ノード間インタフェースを介して１つまたは複数のネットワークノードと結合し得る。例えば、ネットワークノード１１５Ａおよび１１５Ｂは、Ｘ２インタフェースを介して結合し得る。
【００５２】
上述のように、ネットワーク１００の例示的な実施形態は、１つ以上の無線デバイス１１０と、無線デバイス１１０と（直接的または間接的に）通信することができる１つ以上の異なる種類のネットワークノードとを含み得る。無線デバイス１１０は、セルラーまたはモバイル通信システム内のノードおよび／または別の無線デバイスと通信する任意の種類の無線デバイスとも呼ばれ得る。無線デバイス１１０の例は、携帯電話、スマートフォン、ＰＤＡ（パーソナルデジタルアシスタント）、ポータブルコンピュータ（例えばラップトップ、タブレット）、センサ、モデム、マシンタイプコミュニケーション（ＭＴＣ）デバイス／マシン・ツー・マシン（Ｍ２Ｍ）デバイス、ラップトップ組み込み機器（ＬＥＥ）、ラップトップ搭載機器（ＬＭＥ）、ＵＳＢドングル、Ｄ２Ｄ対応デバイス、または無線通信を提供できるその他のデバイスを含む。いくつかの実施形態では、無線デバイス１１０は、ＵＥ、局（ＳＴＡ）、デバイス、または端末とも呼ばれ得る。また、いくつかの実施形態では、一般用語、「無線ネットワークノード」（または単に「ネットワークノード」）が使用される。それは、ノードＢ、基地局（ＢＳ）、ＭＳＲ ＢＳのようなマルチスタンダード無線（ＭＳＲ）無線ノード、ネットワークコントローラ、無線ネットワークコントローラ（ＲＮＣ）、基地局コントローラ（ＢＳＣ）、リレードナーノード制御リレー、基地局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノードＭＳＣ、ＭＭＥ等）、Ｏ＆Ｍ、ＯＳＳ、ＳＯＮ、測位ノード（例えば、Ｅ−ＳＭＬＣ）、ＭＤＴ、または任意の適切なネットワークノードを含み得る任意の種類のネットワークノードとすることができる。無線デバイス１１０、ネットワークノード１１５、および他のネットワークノード（無線ネットワークコントローラまたはコアネットワークノードなど）の例示的実施形態は、それぞれ図１４、１８、および２１に関してより詳細に説明される。
【００５３】
図１３はネットワーク１００の特定の構成を示しているが、本開示は、本明細書に記載の様々な実施形態を任意の適切な構成を有する様々なネットワークに適用できることを企図している。例えば、ネットワーク１００は、任意の適切な数の無線デバイス１１０およびネットワークノード１１５、ならびに無線デバイス間または無線デバイスと別の通信デバイス（固定電話など）との間の通信をサポートするのに適した任意の追加の要素を含み得る。更に、特定の実施形態は、ＬＴＥネットワークで実施されるように説明され得るが、実施形態は、任意の適切な通信規格をサポートし、任意の適切な構成要素を使用する任意の適切なタイプの電気通信システムで実施され得、無線デバイスが信号（例えばデータ）を受信および／または送信する任意の無線アクセス技術（ＲＡＴ）またはマルチＲＡＴシステムに適用可能である。例えば、本明細書に記載された様々な実施形態は、ＬＴＥ、ＬＴＥアドバンスト、ＬＴＥ−Ｕユニバーサルモバイルテレコミュニケーションシステム（ＵＭＴＳ）、高速パケットアクセス（ＨＳＰＡ）、グローバルシステムフォーモバイルコミュニケーションズ（ＧＳＭ）、ｃｄｍａ２０００、ＷｉＭａｘ、ＷｉＦｉ、他の適切な無線アクセス技術、または１つ以上の無線アクセス技術の任意の適切な組み合わせに適用可能である。特定の実施形態は、ダウンリンクにおける無線送信の文脈で説明され得るが、本開示は、様々な実施形態がアップリンクにおいて等しく適用可能であり、逆もまた同様であることを企図する。
【００５４】
本明細書で説明されている技術は、ＬＡＡ（Licensed Assisted Access）ＬＴＥおよびスタンドアロンＬＴＥの両方の動作に適用可能である。説明された技術は、一般に、ネットワークノード１１５と無線デバイス１１０の両方からの送信に適用可能である。
【００５５】
図１４は、特定の実施形態による、半永続的ＣＳＩ−ＲＳに対する信頼性のある動的指示のための例示的な無線デバイス１１０を示す。図示のように、無線デバイス２１０は、送受信器２１０、処理回路２２０、およびメモリ２３０を有する。いくつかの実施形態において、送受信器２１０は、（例えばアンテナ２４０を介して）ネットワークノード１１５への無線信号の送受信を容易にし、処理回路２２０は、無線デバイス１１０によって提供されるものとして上述の機能の一部または全部を提供する命令を実行し、メモリ２３０は、処理回路２２０によって実行される命令を格納する。無線デバイス１１０の例は上記に提供されている。
【００５６】
処理回路２２０は、命令を実行し、データを操作して無線デバイス１１０の記載された機能の一部または全部を実行するために１つ以上のモジュールに実装されたハードウェアおよびソフトウェアの任意の適切な組み合わせを含み得る。いくつかの実施形態では、処理回路２２０は、例えば、１つ以上のコンピュータ、１つ以上のＣＰＵ（Central Processing Unit）、１つ以上のプロセッサ、１つ以上のマイクロプロセッサ、１つ以上のアプリケーション、および／または他のロジックを含み得る。
【００５７】
メモリ２３０は一般に、コンピュータプログラム、ソフトウェア、１つ以上の論理、規則、アルゴリズム、コード、テーブルなどを含むアプリケーション、および／または処理回路によって実行することができる他の命令などの命令を格納するように動作可能である。メモリ２３０の例は、コンピュータメモリ（例えば、ランダムアクセスメモリ（ＲＡＭ）またはリードオンリーメモリ（ＲＯＭ））、大容量記憶媒体（例えば、ハードディスク）、取り外し可能記憶媒体（例えば、コンパクトディスク（ＣＤ）、またはデジタルビデオディスク（ＤＶＤ））、および／または情報を記憶する他の揮発性または不揮発性、非一時的コンピュータ可読および／またはコンピュータ実行可能メモリデバイスを含む。
【００５８】
無線デバイス１１０の他の実施形態は、上述の機能のいずれかおよび／または追加の機能（上記の解決策をサポートするために必要な機能を含む）を含む無線デバイスの機能性の特定の態様を提供する役割を果たす、図１４に示すもの以外の追加の構成要素を含み得る。
【００５９】
図１５は、特定の実施形態による、より高いレイヤによって構成されたＣＳＩ−ＲＳリソースに対する半永続的ＣＳＩ測定を開始するための無線デバイス１１０による例示的な方法を示す。方法は、無線デバイス１１０がネットワークノード１１５から、半永続的ＣＳＩ−ＲＳリソースの測定を開始するための動的割り当てトリガを受信するときにステップ３０４で始まる。ステップ３０６において、ＣＳＩ−ＲＳリソースの第１の測定が実行される。ステップ３０８において、第１の測定のみに基づく第１のＣＳＩ報告がネットワークノード１１５に送信される。
【００６０】
図１６は、特定の実施形態による、より高いレイヤによって構成されたＣＳＩ−ＲＳリソースに対する半永続的ＣＳＩ測定を終了させるための無線デバイス１１０による例示的な方法を示す。方法は、無線デバイス１１０がネットワークノードから、ＣＳＩ−ＲＳリソースに対する半永続的測定を終了させるための動的割り当て解除トリガを受信するときにステップ４０４で開始する。ステップ４０６において、無線デバイス１１０は、ＣＳＩ−ＲＳリソースに対する半永続的測定を終了させる。
【００６１】
図１７は、特定の実施形態による、無線デバイス１１０による例示的な方法を示している。方法は、無線デバイス１１０が、ネットワークノード１１５から、半永続的ＣＳＩ−ＲＳリソースに対する測定を開始するための動的割り当てシグナリングを受信するときに、ステップ５０２で開始する。特定の実施形態によれば、半永続的ＣＳＩ−ＲＳリソースは、少なくともＣＳＩ−ＲＳ送信周期性で構成され、ＣＳＩ−ＲＳ送信の送信および停止に関する少なくとも１つのＵＥ仮定が適用されるＣＳＩ−ＲＳリソースを含む。別の例として、半永続的ＣＳＩ−ＲＳリソースは、限られた時間期間に対して、設定された周期でＣＳＩ−ＲＳを送信するように設定され、動的割り当ての受信は、半永続的ＣＳＩ−ＲＳリソースでの半永続的ＣＳＩ−ＲＳの送信をトリガするために要求され得る。
【００６２】
特定の実施形態によれば、動的割り当てシグナリングは、ＣＳＩ−ＲＳリソースに対する半永続的ＣＳＩ測定を開始し、そしてまた第１のＣＳＩ報告をトリガする。特定の実施形態では、動的割り当てシグナリングは、半永続的ＣＳＩ−ＲＳ測定開始の指示、半永続的ＣＳＩ−ＲＳリソース構成インデックス（単数または複数）の指示、ならびにアップリンクリソース割り当ておよび関連する変調と符号化率の少なくとも１つを含む。特定の実施形態では、動的割り当てシグナリングはＭＡＣ ＣＥを含む。
【００６３】
ステップ５０４において、無線デバイス１１０は、半永続的ＣＳＩ−ＲＳリソースに対して第１の測定を実行する。ステップ５０６において、無線デバイス１１０は、第１の測定のみに基づいて第１のＣＳＩ報告をネットワークノード１１５に送信する。特定の実施形態では、第１のＣＳＩ報告は非周期的報告である。別の実施形態では、第１のＣＳＩ報告は半永続的報告である。
【００６４】
ステップ５０８において、無線デバイス１１０は、ネットワークノード１１５から、ステップ５０２の動的割り当てシグナリングとは異なるトリガメッセージを受信する。特定の実施形態によれば、トリガメッセージは、半永続的ＣＳＩ報告をトリガする。特定の実施形態によれば、例えば、トリガメッセージはＤＣＩを含む。
【００６５】
ステップ５１０において、無線デバイス１１０はトリガメッセージに応答して半永続的報告を開始する。特定の実施形態によれば、無線デバイス１１０は複数の半永続的ＣＳＩ報告を送信し得る。
【００６６】
特定の実施形態によれば、無線デバイス１１０は、所定の長さの時間の後に、半永続的ＣＳＩ−ＲＳ報告の送信を停止し得る。他の実施形態では、無線デバイス１１０は、動的割り当て解除トリガに応答して、半永続的ＣＳＩ−ＲＳリソースに対する測定を終了させ、半永続的ＣＳＩ−ＲＳリソースに対する半永続的測定を停止するために動的割り当て解除シグナリングを受信し得る。
【００６７】
図１８は、特定の実施形態による、半永続的ＣＳＩ−ＲＳに対する信頼できる動的指示のための例示的なネットワークノード１１５を示す。上述のように、ネットワークノード１１５は、任意の種類の無線ネットワークノード、または無線デバイスおよび／または他のネットワークノードと通信する任意のネットワークノードであり得る。ネットワークノード１１５の例は上記に提供されている。
【００６８】
ネットワークノード１１５は、同種配置、異種配置、または混合配置としてネットワーク１００全体に配置され得る。同種配置は、一般に、同じ（または類似の）種類のネットワークノード１１５および／または類似のカバレッジおよびセルサイズおよびサイト間距離からなる配置を表し得る。異種配置は、一般に、異なるセルサイズ、送信電力、容量、およびサイト間距離を有する様々な種類のネットワークノード１１５を使用する配置を表し得る。例えば、異種配置は、マクロセルレイアウト全体にわたって配置された複数の低電力ノードを含み得る。混合配置は、同種配置と異種配置の混合を含み得る。
【００６９】
ネットワークノード１１５は、送受信器６１０、処理回路６２０、メモリ６３０、およびネットワークインタフェース６４０のうちの１つ以上を含み得る。いくつかの実施形態では、送受信器６１０は、（例えばアンテナ６５０を介して）無線デバイス１１０への無線信号の送受信を容易にし、処理回路６２０は、ネットワークノードによって提供されるものとして上述の機能の一部または全部を提供する命令を実行し、メモリ６３０は、処理回路６２０によって実行された命令を格納し、ネットワークインタフェース６４０は、ゲートウェイ、スイッチ、ルータ、インターネット、公衆交換電話網（ＰＳＴＮ）、コアネットワークノードまたは無線ネットワークコントローラといったバックエンドネットワークコンポーネントに信号を伝達する。
【００７０】
特定の実施形態では、ネットワークノード１１５は、マルチアンテナ技術を使用してもよく、複数のアンテナを装備してもよく、ＭＩＭＯ技術をサポートしてもよい。１つ以上のアンテナは制御可能な偏波を有し得る。すなわち、各要素は、異なる偏波（例えば、交差偏波の場合のように９０度の分離）を有する２つの同じ場所に配置されたサブ要素を有し得る。そのため、異なる組のビームフォーミング重みは、放射された波に異なる偏波を与える。
【００７１】
処理回路６２０は、命令を実行し、データを操作してネットワークノード１１５の記載された機能の一部または全部を実行するために１つ以上のモジュールに実装されたハードウェアおよびソフトウェアの任意の適切な組み合わせを含み得る。いくつかの実施形態では、処理回路６２０は、例えば、１つ以上のコンピュータ、１つ以上のＣＰＵ（Central Processing Unit）、１つ以上のマイクロプロセッサ、１つ以上のアプリケーション、および／または他のロジックを含み得る。
【００７２】
メモリ６３０は一般に、コンピュータプログラム、ソフトウェア、１つ以上の論理、規則、アルゴリズム、コード、テーブルなどを含むアプリケーション、および／またはプロセッサによって実行することができる他の命令などの命令を格納するように動作可能である。メモリ６３０の例は、コンピュータメモリ（例えば、ランダムアクセスメモリ（ＲＡＭ）またはリードオンリーメモリ（ＲＯＭ））、大容量記憶媒体（例えば、ハードディスク）、取り外し可能記憶媒体（例えば、コンパクトディスク（ＣＤ）、またはデジタルビデオディスク（ＤＶＤ））、および／または情報を記憶する他の揮発性または不揮発性、非一時的コンピュータ可読および／またはコンピュータ実行可能メモリデバイスを含む。
【００７３】
いくつかの実施形態では、ネットワークインタフェース６４０は処理回路６２０に通信可能に結合され、ネットワークノード１１５への入力の受信、ネットワークノード１１５からの出力の送信、入力または出力の適切な処理の実行、またはその両方、他のデバイスへの通信、またはそれらの任意の組み合わせが可能な任意の適切なデバイスを指し得る。ネットワークインターフェース６４０は、ネットワークを介して通信するために、プロトコル変換およびデータ処理能力を含む適切なハードウェア（例えば、ポート、モデム、ネットワークインターフェースカード等）およびソフトウェアを含み得る。
【００７４】
ネットワークノード１１５の他の実施形態は、上述の機能のいずれかおよび／または追加の機能（上記の解決策をサポートするために必要な機能を含む）を含むネットワークノードの機能性の特定の態様を提供する役割を果たす、図１８に示すもの以外の追加の構成要素を含み得る。様々な異なる種類のネットワークノードは、同じ物理ハードウェアを有するが異なる無線アクセス技術をサポートするように（例えばプログラミングによって）構成された構成要素を含むことができ、あるいは部分的または全体的に異なる物理構成要素を表し得る。さらに、第１および第２の用語は例示目的のためだけに提供されており、交換されてもよい。
【００７５】
図１９は、特定の実施形態による、より高いレイヤによって構成されたＣＳＩ−ＲＳリソースに対する半永続的ＣＳＩ測定を開始するための例示的な方法を示す。方法は、ネットワークノード１１５が、無線デバイス１１０へ、半永続的ＣＳＩ−ＲＳリソースに対する測定を開始するための動的割り当てシグナリングを送信するときに、ステップ７０２で開始する。特定の実施形態によれば、半永続的ＣＳＩ−ＲＳリソースは、少なくともＣＳＩ−ＲＳ送信周期性で構成され、送信およびＣＳＩ−ＲＳ送信の停止に関する少なくとも１つのＵＥ仮定が適用されるＣＳＩ−ＲＳリソースを含む。別の例として、半永続的ＣＳＩ−ＲＳリソースは、限られた時間期間に対して、設定された周期でＣＳＩ−ＲＳを送信するように設定され、動的割り当ての受信は、半永続的ＣＳＩ−ＲＳリソースでの半永続的ＣＳＩ−ＲＳの送信をトリガするために要求され得る。
【００７６】
特定の実施形態では、動的割り当てシグナリングは、半永続的ＣＳＩ−ＲＳ測定開始の指示、半永続的ＣＳＩ−ＲＳリソース構成インデックス（単数または複数）の指示、ならびにアップリンクリソース割り当ておよび関連する変調と符号化率の少なくとも１つを含む。特定の実施形態では、動的割り当てシグナリングはＭＡＣ ＣＥを含む。
【００７７】
ステップ７０４で、動的割り当てシグナリングに応答して第１のＣＳＩ報告が無線デバイス１１０によって送信されたか（されるか）どうかが判定される。
【００７８】
ステップ７０６で、ネットワークノード１１５は、動的割り当てシグナリングに応答して、第１のＣＳＩ報告が無線デバイス１１０によって送信されたかどうかに基づいた行動をとる。
【００７９】
特定の実施形態では、第１のＣＳＩ報告が無線デバイス１１０によって送信されたかどうかを判定することは、第１のＣＳＩ報告がネットワークノード１１５によって受信されたと判定することを含み得る。第１のＣＳＩ報告は、無線デバイス１１０が動的割り当てシグナリングを正常に受信したことをネットワークノード１１５に示し得る。したがって、ネットワークノードは、事前設定された周期性を用いて半永続的ＣＳＩ−ＲＳの送信を継続することができる。
【００８０】
特定の他の実施形態では、第１のＣＳＩ報告が無線デバイス１１０によって送信されたかどうかを判定することは、第１のＣＳＩ報告がネットワークノード１１５によって受信されたと判定することを含み得る。第１のＣＳＩ報告を受信しないことは、無線デバイス１１０が動的割り当てシグナリングを正常に受信しなかったことをネットワークノード１１５に示し得る。したがって、ネットワークノード１１５は、動的割り当てシグナリングを無線デバイス１１０に再送し得る。
【００８１】
特定の実施形態によれば、無線デバイス１１０は、所定の長さの時間の後に、半永続的ＣＳＩ−ＲＳ報告の送信を停止し得る。他の実施形態では、ネットワークノード１１５は、無線デバイス１１０による前記半永続的ＣＳＩ−ＲＳリソースに対する前記測定を終了させるために動的割り当て解除シグナリングを送信し得る。更に、ネットワークノード１１５は、動的割り当て解除シグナリングに応答して第２のＣＳＩ報告が無線デバイスによって送信されたかどうかを判定し、動的割り当てシグナリングに応答して第２のＣＳＩ報告が無線デバイスによって送信されたかどうかに基づいた行動をとる。
【００８２】
図２０は、特定の実施形態による、より高いレイヤによって構成されたＣＳＩ−ＲＳリソースに対する半永続的ＣＳＩ測定を終了させるためのネットワークノード１１５による例示的な方法を示す。方法は、ネットワークノード１１５が無線デバイス１１０に動的割り当て解除シグナリングを送信して、半永続的ＣＳＩ−ＲＳリソースの測定を終了させるときに、ステップ８０２で開始する。特定の実施形態では、動的割り当て解除シグナリングはＤＣＩを含み得る。
【００８３】
ステップ８０６において、ネットワークノード１１５は、動的割り当て解除シグナリングに応答して第２のＣＳＩ報告が無線デバイス１１０によって送信されたか（されるか）どうかを判定する。ステップ８０８で、ネットワークノード１１５は、動的割り当て解除シグナリングに応答して第２のＣＳＩ報告が受信されるかどうかに基づいた行動をとる。
【００８４】
特定の実施形態では、第２のＣＳＩ報告が受信されたと判定され得る。第２のＣＳＩ報告の受信は、無線デバイス１１０が動的割り当て解除シグナリングを受信しなかったことをネットワークノード１１５に示し得る。したがって、ネットワークノード１１５は、動的割り当て解除シグナリングを再送するために更なる行動をとり得る。
【００８５】
特定の実施形態では、第２のＣＳＩ報告が受信されなかったと判定され得る。第２のＣＳＩ報告を受信しなかったことは、無線デバイス１１０が動的割り当て解除シグナリングを正常に受信したことをネットワークノード１１５に示し得る。したがって、ネットワークノード１１５は、ＣＳＩ−ＲＳの周期的送信を終了させることによって更なる行動をとり得る。
【００８６】
図２１は、特定の実施形態による、例示的無線ネットワークコントローラまたはコアネットワークノード９００を示す。ネットワークノードの例は、モバイル交換センター（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）等を含むことができる。無線ネットワークコントローラまたはコアネットワークノード９００は、プロセッサまたは処理回路９２０、メモリ９３０、およびネットワークインタフェース９４０を含む。いくつかの実施形態では、プロセッサ９２０は、ネットワークノードによって提供されるものとして上述した機能の一部または全部を提供する命令を実行し、メモリ９３０はプロセッサ９２０によって実行される命令を格納し、ネットワークインタフェース９４０は、ゲートウェイ、スイッチ、ルータ、インターネット、公衆交換電話網（ＰＳＴＮ）、ネットワークノード１１５、無線ネットワークコントローラまたはコアネットワークノード９００などの任意の適切なノードに信号を通信する。
【００８７】
プロセッサ９２０は、命令を実行し、データを操作して無線ネットワークコントローラまたはコアネットワークノード９００の記載された機能の一部または全部を実行するために１つ以上のモジュールに実装されたハードウェアおよびソフトウェアの任意の適切な組み合わせを含み得る。いくつかの実施形態では、プロセッサ９２０は、例えば、１つ以上のコンピュータ、１つ以上のＣＰＵ（Central Processing Unit）、１つ以上のマイクロプロセッサ、１つ以上のアプリケーション、および／または他のロジックを含み得る。
【００８８】
メモリ９３０は一般に、コンピュータプログラム、ソフトウェア、１つ以上の論理、規則、アルゴリズム、コード、テーブルなどを含むアプリケーション、および／またはプロセッサによって実行することができる他の命令などの命令を格納するように動作可能である。メモリ９３０の例は、コンピュータメモリ（例えば、ランダムアクセスメモリ（ＲＡＭ）またはリードオンリーメモリ（ＲＯＭ））、大容量記憶媒体（例えば、ハードディスク）、取り外し可能記憶媒体（例えば、コンパクトディスク（ＣＤ）、またはデジタルビデオディスク（ＤＶＤ））、および／または情報を記憶する他の揮発性または不揮発性、非一時的コンピュータ可読および／またはコンピュータ実行可能メモリデバイスを含む。
【００８９】
いくつかの実施形態では、ネットワークインタフェース９４０はプロセッサ９２０に通信可能に結合され、ネットワークノードへの入力の受信、ネットワークノードからの出力の送信、入力または出力の適切な処理の実行、またはその両方、他のデバイスへの通信、またはそれらの任意の組み合わせが可能な任意の適切なデバイスを指し得る。ネットワークインタフェース９４０は、ネットワークを介して通信するために、プロトコル変換およびデータ処理能力を含む適切なハードウェア（例えば、ポート、モデム、ネットワークインターフェースカード等）およびソフトウェアを含み得る。
【００９０】
ネットワークノードの他の実施形態は、上述の機能のいずれかおよび／または追加の機能（上記の解決策をサポートするために必要な機能を含む）を含むネットワークノードの機能性の特定の態様を提供する役割を果たす、図２１に示すもの以外の追加の構成要素を含み得る。
【００９１】
特定の実施形態によれば、無線デバイスにおける方法は、上位レイヤによって構成されたＣＳＩ−ＲＳリソースに対する半永続的ＣＳＩ測定を開始するために提供され得る。ここで、リソースはＣＳＩ報告のために使用され、そのリソースに関して無線デバイスは現在測定を実行していない。方法は、
・ネットワークノードから、半永続的ＣＳＩ−ＲＳリソースに対する測定を開始するための動的割り当てトリガを受信することと、
・ＣＳＩ−ＲＳリソースの第１の測定を実行することと、
・前記第１の測定のみに基づいて第１のＣＳＩ報告をネットワークに送信することを含み、
・オプション的に、動的割り当てトリガは、ＣＳＩ−ＲＳリソースに対する半永続的ＣＳＩ測定を開始し、そしてまた第１のＣＳＩ報告をトリガし、
・オプション的に、第１のＣＳＩ報告を除くＣＳＩ報告は、動的割り当てトリガメッセージとは異なるトリガメッセージによってトリガされ、
・オプション的に、ＣＳＩ報告は非周期的報告であり、
・オプション的に、ＣＳＩ報告は半永続的報告であり、
・オプション的に、半永続的ＣＳＩ−ＲＳは所定の長さの時間送信され、半永続的ＣＳＩ−ＲＳ送信は所定の長さの時間の後に停止し、ＵＥは半永続的ＣＳＩ−ＲＳに対応するＣＳＩ報告の提供を停止し、
・オプション的に、動的割り当てトリガは、半永続的ＣＳＩ−ＲＳ測定開始の指示、半永続的ＣＳＩ−ＲＳ構成インデックス（単数または複数）の指示、ならびにアップリンクリソース割り当ておよび関連する変調と符号化率の少なくとも１つを含み、
・オプション的に、方法は、半永続的ＣＳＩ−ＲＳの動的割り当て解除トリガを受信することと、動的割り当て解除トリガを受信した後に半永続的ＣＳＩ−ＲＳに対応するＣＳＩ報告の送信を停止することとを更に含む。
【００９２】
特定の実施形態によれば、上位レイヤによって構成されたＣＳＩ−ＲＳリソースに対する半永続的ＣＳＩ測定を開始するために無線デバイスが提供され得る。ここで、リソースはＣＳＩ報告のために使用され、そのリソースに関して無線デバイスは現在測定を実行していない。無線デバイスは、
・命令を格納するメモリと、
・前記命令を実行可能な処理回路を有し、前記命令は当該処理回路に、
・ネットワークノードから、半永続的ＣＳＩ−ＲＳリソースに対する測定を開始するための動的割り当てトリガを受信させ、
・ＣＳＩ−ＲＳリソースの第１の測定が実行させ、
・当該第１の測定のみに基づいて第１のＣＳＩ報告をネットワークに送信させ、
・オプション的に、動的割り当てトリガは、ＣＳＩ−ＲＳリソースに対する半永続的ＣＳＩ測定を開始し、そしてまた第１のＣＳＩ報告をトリガし、
・オプション的に、第１のＣＳＩ報告を除くＣＳＩ報告は、動的割り当てトリガメッセージとは異なるトリガメッセージによってトリガされ、
・オプション的に、ＣＳＩ報告は非周期的報告であり、
・オプション的に、ＣＳＩ報告は半永続的報告であり、
・オプション的に、半永続的ＣＳＩ−ＲＳは所定の長さの時間送信され、半永続的ＣＳＩ−ＲＳ送信は所定の長さの時間の後に停止し、前記処理回路は半永続的ＣＳＩ−ＲＳに対応するＣＳＩ報告の提供を停止するように動作可能であり、
・オプション的に、動的割り当てトリガは、半永続的ＣＳＩ−ＲＳ測定開始の指示、半永続的ＣＳＩ−ＲＳ構成インデックス（単数または複数）の指示、ならびにアップリンクリソース割り当ておよび関連する変調と符号化率の少なくとも１つを含む。
【００９３】
特定の実施形態によれば、上位レイヤによって構成されたＣＳＩ−ＲＳリソースに対する半永続的ＣＳＩ測定を終了させるための無線デバイスにおける方法が提供される。ここで、リソースはＣＳＩ報告のために使用され、そのリソースに関して無線デバイスは現在測定を実行していない。方法は、
・ＣＳＩ−ＲＳリソースに対する半永続的測定を終了させるために動的割り当て解除トリガを受信することと、
・当該ＣＳＩ−ＲＳリソースに対する半永続的測定を終了させることを含む。
【００９４】
特定の実施形態によれば、上位レイヤによって構成されたＣＳＩ−ＲＳリソースに対する半永続的ＣＳＩ測定を終了させるための無線デバイスであって、ここで、リソースはＣＳＩ報告のために使用され、そのリソースに関して無線デバイスは現在測定を実行せず、前記無線デバイスは、
・命令を格納するメモリと、
・前記命令を実行可能な処理回路とを有し、前記命令は前記処理回路に、
・ネットワークノードから、ＣＳＩ−ＲＳリソースに対する半永続的測定を終了させるために動的割り当て解除トリガを受信させ、
・当該ＣＳＩ−ＲＳリソースに対する半永続的測定を終了させる。
【００９５】
特定の実施形態によれば、上位レイヤによって構成されたＣＳＩ−ＲＳリソースに対する半永続的ＣＳＩ測定を開始するためのネットワークノードにおける方法が提供され得る。ここで、リソースはＣＳＩ報告のために使用され、そのリソースに関して無線デバイスは現在測定を実行していない。方法は、
・半永続的ＣＳＩ−ＲＳリソースの測定を開始するための動的割り当てトリガを無線デバイスに送信することと、
・動的割り当てトリガに応答して第１のＣＳＩ報告が受信されたかどうかを判定することと、
・前記動的割り当てトリガに応答して前記第１のＣＳＩ報告が受信されたかどうかに基づいた行動をとることを含み、
・オプション的に、第１のＣＳＩ報告が受信されたことが判定（決定）されてもよく、これは、無線デバイスが動的割り当てトリガを成功裏に受信したことを示し、そして行動をとることは予め設定された周期で半永続的ＣＳＩ−ＲＳの送信を続けることを更に含み、
・オプション的に、第１のＣＳＩ報告が受信されなかったことが決定されてもよく、これは、無線デバイスが動的割り当てトリガを受信しなかったことを示し、そして行動をとることは、動的割り当てトリガを無線デバイスに再送することを更に含む。
【００９６】
特定の実施形態によれば、上位レイヤによって構成されたＣＳＩ−ＲＳリソースに対する半永続的ＣＳＩ測定を開始するためのネットワークノードが提供され得る。ここで、リソースはＣＳＩ報告のために使用され、そのリソースに関して無線デバイスは現在測定を実行していない。ネットワークノードは、
・命令を格納するメモリと、
・前記命令を実行可能な処理回路を有し、前記命令は当該処理回路に、
・半永続的ＣＳＩ−ＲＳリソースの測定を開始するための動的割り当てトリガを無線デバイスに送信させ、
・動的割り当てトリガに応答して第１のＣＳＩ報告が受信されたかどうかを判定させ、
・前記動的割り当てトリガに応答して前記第１のＣＳＩ報告が受信されたかどうかに基づいた行動をさせるための前記命令を実行するように動作可能である、ネットワークノード。
・オプション的に、第１のＣＳＩ報告が受信されたことが決定（判定）されてもよく、これは、無線デバイスが動的割り当てトリガを成功裏に受信したことを示し、そして行動をとることは予め設定された周期で半永続的ＣＳＩ−ＲＳの送信を続けることを更に含み、
・オプション的に、第１のＣＳＩ報告が受信されなかったことが決定されてもよく、これは、無線デバイスが動的割り当てトリガを受信しなかったことを示し、そして行動をとることは、動的割り当てトリガを無線デバイスに再送することを更に含む。
【００９７】
特定の実施形態によれば、上位レイヤによって構成されたＣＳＩ−ＲＳリソースに対する半永続的ＣＳＩ測定を終了させるためのネットワークノードにおける方法が提供され得る。ここで、リソースはＣＳＩ報告のために使用され、そのリソースに関して無線デバイスは現在測定を実行している。方法は、
・半永続的ＣＳＩ−ＲＳリソースの測定を終了させるために動的割り当て解除トリガを無線デバイスに送信することと、
・動的割り当て解除トリガに応答して第１のＣＳＩ報告が受信されたかどうかを判定することと、
・前記動的割り当て解除トリガに応答して前記第１のＣＳＩ報告が受信されたかどうかに基づいた行動をとることを含み、
・オプション的に、第１のＣＳＩ報告が受信されたことが決定（判定）されてもよく、これは、無線デバイスが動的割り当て解除トリガを受信しなかったことを示し、そして行動をとることは、動的割り当て解除トリガを再送することを含み得る。
・オプション的に、第１のＣＳＩ報告が受信されなかったことが決定されてもよく、これは無線デバイスが動的割り当てトリガを受信したことを示し、そして行動をとることは、ＣＳＩ−ＲＳの周期的送信を終了させることを含み得る。
【００９８】
特定の実施形態によれば、上位レイヤによって構成されたＣＳＩ−ＲＳリソースに対する半永続的ＣＳＩ測定を終了させるためのネットワークノードが提供され得る。ここで、リソースはＣＳＩ報告のために使用され、そのリソースに関して無線デバイスは現在測定を実行している。ネットワークノードは、
・命令を格納するメモリと、
・前記命令を実行可能な処理回路とを有し、前記命令は前記処理回路に、
・半永続的ＣＳＩ−ＲＳリソースの測定を終了させるために動的割り当て解除トリガを無線デバイスに送信させ、
・動的割り当て解除トリガに応答して第１のＣＳＩ報告が受信されるかどうかを判定させ、
・前記動的割り当て解除トリガに応答して前記第１のＣＳＩ報告が受信されるかどうかに基づいて行動させ、
・オプション的に、第１のＣＳＩ報告が受信されたことが決定（判定）されてもよく、これは、無線デバイスが動的割り当て解除トリガを受信しなかったことを示し、そして行動をとることは、動的割り当て解除トリガを再送することを含んでよく、
・オプション的に、第１のＣＳＩ報告が受信されなかったことが決定されてもよく、これは無線デバイスが動的割り当てトリガを受信したことを示し、そして行動をとることは、ＣＳＩ−ＲＳの周期的送信を終了させることを含み得る。
【００９９】
本開示の範囲から逸脱することなく、本明細書に記載のシステムおよび装置に対して修正、追加、または省略を行ってもよい。システムおよび装置の構成要素は統合されても分離されてもよい。更に、システムおよび装置の動作は、より多い、より少ない、または他の構成要素によって実行されてもよい。更に、システムおよび装置の動作は、ソフトウェア、ハードウェア、および／または他の論理を含む任意の適切な論理を使用して実行してもよい。この文書で使用されているように、「それぞれ」とは、セットの各メンバーまたはセットのサブセットの各メンバーを指す。
【０１００】
本開示の範囲から逸脱することなく、本明細書に記載の方法に対して修正、追加、または省略を行ってもよい。方法は、より多い、より少ない、または他のステップを含み得る。更に、ステップは任意の適切な順序で実行されてもよい。
【０１０１】
この開示はある実施形態に関して説明されてきたが、実施形態の変更および置換は当業者に明らかであろう。したがって、実施形態の上記の説明はこの開示を制限しない。添付の特許請求の範囲によって定義されるように、本開示の精神および範囲から逸脱することなく、他の変更、置換、および改変が可能である。
【０１０２】
前述の説明で使用されている略語は次の通りである。
ＣＲＳ  セル固有基準信号
ＣＳＩ−ＲＳ  チャネル状態基準信号
ｇＮＢ  ＮＲ基地局ノード
ＨＡＲＱ  ハイブリッド自動再送要求
ＮＷ  ネットワーク
ＰＤＣＣＨ  物理ダウンリンク制御チャネル
ＰＲＢ  物理リソースブロック
ＲＲＣ  無線リソース制御
ＵＥ  ユーザ装置
【図１】
0006869351.tif 000006
【図２】
0006869351.tif 000007
【図３】
0006869351.tif 000008
【図４】
0006869351.tif 000009
【図５Ａ】
0006869351.tif 000010
【図５Ｂ】
0006869351.tif 000011
【図５Ｃ】
0006869351.tif 000012
【図６】
0006869351.tif 000013
【図７】
0006869351.tif 000014
【図８】
0006869351.tif 000015
【図９】
0006869351.tif 000016
【図１０】
0006869351.tif 000017
【図１１】
0006869351.tif 000018
【図１２】
0006869351.tif 000019
【図１３】
0006869351.tif 000020
【図１４】
0006869351.tif 000021
【図１５】
0006869351.tif 000022
【図１６】
0006869351.tif 000023
【図１７】
0006869351.tif 000024
【図１８】
0006869351.tif 000025
【図１９】
0006869351.tif 000026
【図２０】
0006869351.tif 000027
【図２１】
0006869351.tif 000028